(57)【要約】【課題】封筒の一辺の縁を切り開くのではなく、封筒の表面を破ることによって開封するようにし、これによって封筒の受け取り人に強い印象を与えること。【解決手段】一方の表面に第１の画像ＦＧＡが描かれた外封筒１１と、外封筒内に挿入されており、第１の画像が描かれた面に対応した面に第２の画像ＦＧＢが描かれた内封筒１２と、内封筒内に挿入されるものであり、第３の画像ＦＧＣが描かれた画像部分１３ａとメッセージを書き込むためのメッセージ部分１３ｂ〜ｄとを有した便箋シート１３と、を有し、便箋シートを第３の画像が第１の画像に対応するように内封筒内に挿入した状態のときに、外封筒の第１の画像が描かれた面を破ったときに第２の画像が現れ、さらに内封筒の第２の画像が描かれた面を破ったときに第３の画像が現れるように構成される。【選択図】      図１
2006016075.tif 000002
【特許請求の範囲】
【請求項１】
一方の表面に第１の画像が描かれた外封筒と、
前記外封筒内に挿入されており、前記第１の画像が描かれた面に対応した面に第２の画像が描かれた内封筒と、
前記内封筒内に挿入されるものであり、第３の画像が描かれた画像部分とメッセージを書き込むためのメッセージ部分とを有した便箋シートと、を有し、
前記便箋シートを前記第３の画像が前記第１の画像に対応するように前記内封筒内に挿入した状態のときに、前記外封筒の前記第１の画像が描かれた面を破ったときに前記第２の画像が現れ、さらに前記内封筒の第２の画像が描かれた面を破ったときに前記第３の画像が現れるように構成されてなる、
ことを特徴とする封筒。
【請求項２】
外封筒および内封筒からなる二重封筒と便箋シートとを有し、
前記外封筒の一方の表面には第１の画像が描かれており、
前記内封筒の前記第１の画像が描かれた面に対応した面には第２の画像が描かれており、
前記便箋シートは、第３の画像が描かれた画像部分とメッセージを書き込むためのメッセージ部分とを有し、
前記便箋シートを前記第３の画像が前記第１の画像に対応するように前記内封筒内に挿入した状態のときに、前記外封筒の前記第１の画像が描かれた面を破ったときに前記第２の画像が現れ、さらに前記内封筒の第２の画像が描かれた面を破ったときに前記第３の画像が現れるように構成されてなる、
ことを特徴とする封筒。
【請求項３】
前記便箋シートは、前記画像部分とメッセージ部分の少なくとも一部が同じ面に設けられ、前記画像部分とメッセージ部分との境界で折り畳むことにより前記内封筒内に挿入可能となっている、
請求項１または２記載の封筒。
【請求項４】
前記外封筒の前記第１の画像が描かれた面に、最初に破るべき望ましい位置を指し示す指示画像が描かれてなる、
請求項１乃至３のいずれかに記載の封筒。
【請求項５】
前記外封筒の前記第１の画像が描かれた面に、前記第１の画像の輪郭に沿ったミシン目が設けられてなる、
請求項１乃至３のいずれかに記載の封筒。
【発明の詳細な説明】
【技術分野】
【０００１】
本発明は、手紙や文書などを入れる封筒に関し、特に受け取った人が封筒の表面を破ることによって開く封筒に関する。
【背景技術】
【０００２】
一般に、封書は、便箋などに文書を書いて折り畳み、それを封筒に入れて封をし、郵便局などに差し出す。封筒の表には宛て名を書き、裏には差出人の氏名を書く。便箋としては、罫線が入った白い用紙がしばしば用いられる。色の付いた用紙やイラストが入った用紙を便箋として用いることもある。近年においては、パーソナルコンピュータやワードプロセッサによって用紙に印刷したものがよく用いられる。封書の受け取り人は、封筒の一辺の縁を切って開き、中に入った便箋を取り出す。封筒の縁を切るために、鋏、ナイフ、または専用のレターオープナーが用いられる。また、封筒の縁を手で破って開くこともある。
【０００３】
従来において、種々の工夫のなされた封筒が提案されている。例えば、密閉折返片を設けて開封を容易にした封筒（特許文献１）、フラップを２重構造として２回の郵便に使用できる封筒（特許文献２）などが提案されている。
【特許文献１】特表平１１−５０５７９３
【特許文献２】特開平１１−２９２０８７
【発明の開示】
【発明が解決しようとする課題】
【０００４】
しかし、いずれにしても、従来の封筒では、その開封の際に、封筒の一辺の縁を刃物や素手で切り開いて内容物を取り出す。つまり、その開封の仕方に興味ある工夫がなされたものはなかった。
【０００５】
本発明は、封筒の一辺の縁を切り開くのではなく、封筒の表面を破ることによって開封するようにし、これによって封筒の受け取り人に強い印象を与えることの可能な封筒を提供することを目的とする。
【課題を解決するための手段】
【０００６】
本発明に係る封筒は、一方の表面に第１の画像が描かれた外封筒と、前記外封筒内に挿入されており、前記第１の画像が描かれた面に対応した面に第２の画像が描かれた内封筒と、前記内封筒内に挿入されるものであり、第３の画像が描かれた画像部分とメッセージを書き込むためのメッセージ部分とを有した便箋シートと、を有し、前記便箋シートを前記第３の画像が前記第１の画像に対応するように前記内封筒内に挿入した状態のときに、前記外封筒の前記第１の画像が描かれた面を破ったときに前記第２の画像が現れ、さらに前記内封筒の第２の画像が描かれた面を破ったときに前記第３の画像が現れるように構成される。
【０００７】
また、外封筒および内封筒からなる二重封筒と便箋シートとを有し、前記外封筒の一方の表面には第１の画像が描かれており、前記内封筒の前記第１の画像が描かれた面に対応した面には第２の画像が描かれており、前記便箋シートは、第３の画像が描かれた画像部分とメッセージを書き込むためのメッセージ部分とを有し、前記便箋シートを前記第３の画像が前記第１の画像に対応するように前記内封筒内に挿入した状態のときに、前記外封筒の前記第１の画像が描かれた面を破ったときに前記第２の画像が現れ、さらに前記内封筒の第２の画像が描かれた面を破ったときに前記第３の画像が現れるように構成される。
【０００８】
好ましくは、前記便箋シートは、前記画像部分とメッセージ部分の少なくとも一部が同じ面に設けられ、前記画像部分とメッセージ部分との境界で折り畳むことにより前記内封筒内に挿入可能となっている。
【０００９】
また、前記外封筒の前記第１の画像が描かれた面に、最初に破るべき望ましい位置を指し示す指示画像が描かれてなる。
【００１０】
また、前記外封筒の前記第１の画像が描かれた面に、前記第１の画像の輪郭に沿ったミシン目が設けられてなる。
【００１１】
なお、便箋シートまたは内封筒に、それぞれの上に設けられた内封筒または外封筒を破る以前から見えるような画像が描かれていてもよい。画像には文字または記号なども含まれる。
【発明の効果】
【００１２】
本発明によると、封筒の表面を破ることによって開封することができ、破ることによって興味ある画像が現れるので、これによって封筒の受け取り人に強い印象を与えることの可能な興味深い封筒を提供することができる。
【発明を実施するための最良の形態】
【００１３】
図１は本発明の一実施形態に係る封筒１を分解して表から見て示す図、図２は封筒１を分解して裏から見て示す図、図３は封筒１の構造を示す正面図、図４は封筒１を破って開封していく状態を順に説明する図、図５は便箋シート１３の他の例を示す図である。
【００１４】
図１および図２において、封筒１は、外封筒１１、内封筒１２、および便箋シート１３からなる。
【００１５】
外封筒１１は、紙を折り曲げて糊付けして構成されたそれ自体は公知のものである。外封筒１１の表面１１ａには、第１の画像ＦＧＡが描かれている。第１の画像ＦＧＡは、この例では、スーツを着た男性の姿を正面からみた状態を示す図である。表面１１ａには、「この面を破って開封する」といったマークＭＫが表示されている。
外封筒１１の裏面１１ｂは、宛て先の住所氏名ＡＳ、差出人ＳＮの住所氏名などを記入するようになっており、必要に応じて所定額の切手ＫＴを貼付する。上部にはフラップＦＰＡが設けられており、折り曲げて本体に貼り付けることにより封をすることができる。
【００１６】
内封筒１２は、紙を折り曲げて糊付けして構成され、外封筒１１よりも外径寸法が若干小さい封筒状のものである。内封筒１２の表面１２ａには、第２の画像ＦＧＢが描かれている。第２の画像ＦＧＢは、この例では、第１の画像ＦＧＡの男性がスーツを脱いだ状態を示す図である。内封筒１２の裏面１２ｂには、特に何も表示されていない。上部にはフラップＦＰＢが設けられている。
【００１７】
内封筒１２は、図においては外封筒１１と別個に描かれているが、封筒１の完成品としては内封筒１２を外封筒１１の内部に収納した状態で外封筒１１との間で糊付けによって固定されており、外封筒１１から取り出せないように一体となっている。したがって、フラップＦＰＢは、外封筒１１のフラップＦＰＡとともに外封筒１１の裏面に糊付けするようになっている。
【００１８】
しかし、内封筒１２を外封筒１１とは別個独立した存在として設けておいてもよい。その場合には、封筒１を使用するユーザが、内封筒１２を外封筒１１の中に入れることとなる。
【００１９】
なお、内封筒１２は、裏面１２ｂの左右方向のほぼ中央部において重ねられて貼り合わされているが、中央部を重ねることなく、間隙を有した状態としてもよい。つまり、内封筒１２としては、表面に第２の画像ＦＧＢを設けることが重要であり、裏面については最小限の部分があればよい。
【００２０】
便箋シート１３は、中央部の境界ＫＫで折り畳んで内封筒１２の中に挿入するものである。便箋シート１３は、第３の画像ＦＧＣが描かれた画像部分１３ａとメッセージＭＳを書き込むためのメッセージ部分１３ｂ〜ｄとを有する。第３の画像ＦＧＣは、この例では、第１の画像ＦＧＡの男性の骸骨を示す図である。ユーザは、メッセージ部分１３ｂ〜ｄの適当な箇所に、自分のメッセージＭＳを書き入れることができる。
【００２１】
封筒１の構成は上に述べたとおりである。次に、外封筒１１の使用方法について説明する。
【００２２】
上に述べたように、封筒１は、外封筒１１と内封筒１２とが一体となった封筒本体ＦＨと、便箋シート１３とからなる。封筒本体ＦＨは二重封筒を構成している。ユーザは、便箋シート１３のメッセージ部分１３ｂ〜ｄの適当な箇所にメッセージＭＳを書き入れた後、便箋シート１３を画像部分１３ａが表になるように境界ＫＫから折り畳み、第３の画像ＦＧＣが第１の画像ＦＧＡつまり第２の画像ＦＧＢに対応するようにして内封筒１２の中に入れる。このときの状態が図３に示されている。
【００２３】
そして、フラップＦＰＡ，Ｂを貼り付けて封をする。外封筒１１の裏面１１ｂに宛て先などを書き入れ、切手を貼って郵便局に出す。
【００２４】
封筒１の受取人は、外封筒１１の表面１１ａに第１の画像ＦＧＡが描かれているのを見て、普通の封筒ではないことを感じ取り、興味を持つ。受取人は、マークＭＫに示された案内文により、外封筒１１の第１の画像ＦＧＡが描かれた表面１１ａを手で破って開封する。
【００２５】
外封筒１１の表面１１ａを破ることによって、図４（Ｂ）に示すように、内封筒１２の第２の画像ＦＧＢが現れる。受取人は、それが内封筒であってそのままでは未だ便箋を取り出せないことが分かり、さらに興味を持ち、わくわくどきどきして内封筒１２の表面１２ａを破る。そうすると、図４（Ｃ）に示すように、便箋シート１３の第３の画像ＦＧＣが現れる。これによって、受取人は、外封筒１１および内封筒１２から便箋シート１３を取り出し、便箋シート１３に書き込まれたメッセージＭＳを読むことができる。
【００２６】
このように、封筒１の受取人は、外封筒１１に描かれたスーツを着た男性の姿の画像を見て、それを破ると男性がスーツを脱いだ姿となり、さらにそれを破ると男性の骸骨が現れることになり、破る毎に次に何が現れるのか興味深々であり、わくわくどきどきした状態で破ることになる。また、鋏やナイフで縁を切って開封するといった日常的に行われる行為ではなく、外封筒１１の正面から破るという、日常的ではない行為を行うことによって次の画像ＦＧを見ることとなるので、その好奇心が一層刺激されるとともに、破って見た後には、爽快感、満足感などを得ることができる。しかも、封筒１は、その受取人が必ず開封するものであり、中の手紙文を読んだ後は封筒本体は不要であるので、１層目の外封筒１１および２層目の内封筒１２を破ってしまっても何らの損害が発生することなく、資源の無駄使いにもならない。また、受取人に対して破ることに心理的な抵抗を感じさせない。そして、３層目の便箋シート１３には、第３の画像ＦＧＢ付きのメッセージＭＳがそのまま残るので、受取人は強い印象とともにメッセージＭＳを読み、その便箋シート１３を強い印象をともなって保存することができる。
【００２７】
このように、封筒１は、従来の封筒とは全く異なる刺激的な方法によって開封するものであり、その開封方法および順次現れる画像の内容によって受取人の強い興味および注意を引くことができる。
【００２８】
また、外封筒１１と内封筒１２とが二重構造になっているので、中に入った便箋シート１３を保護する機能が強化され、封筒１の郵送中または配達中における破損などから便箋シート１３を護ることができる。
【００２９】
上に述べた実施形態の封筒１において、第１の画像ＦＧＡ、第２の画像ＦＧＢ、および第３の画像ＦＧＣは、互いに何らかの関連性を有する一連の画像である。つまり、これらの画像から何らかの物語を思い起こさせる。このような画像として、種々の画像を用いることができ、例えば次のような画像を用いることができる。
（１）一匹の羊が立って静止している状態を横から見た姿、羊の毛を取り去った姿、羊の骨格。
（２）制服を着た人の姿、制服を脱いだ下着の人の姿、人の骨格。また、制服を着た人の姿ではなく、制服のみでもよい。
（３）制服を着た人の姿、制服を脱いだ下着の人の姿、人が実はサイボーグであったというそのサイボーグの構造。
（４）服を着た強そうな力士の姿、服を脱いで廻しを付けた強そうな力士の姿、年老いてやせ細って廻しを付けた痛々しい力士の姿。
（５）勢いのある大きな鯉の姿、人魚の姿。
（６）バスケットボールの試合で２人がボールの奪い合いをしている姿、警官が強盗と戦っている姿。
【００３０】
また、教育的な見地から、世界の名画例えばルネッサンス絵画を題材にして、次のような画像ＦＧを表すことができる。
（７）ボッティチェリの「ビーナスの誕生」を題材として、裸のビーナスが着物を着ていく。また、ゴヤの「裸のマハ」と「着衣のマハ」、ダビンチの「モナリザ」と裸のモナリザなど。
（８）図１に示す画像で、第１の画像ＦＧＡについて、衣服のみを描き、人の体の部分は描かない。つまり、この例においては、人の頭部や手を描かない。そして、人の頭部と手の部分を切り欠いて穴を設けておき、その下の第２の画像ＦＧＢが見えるようにしておく。そうすると、第１の画像ＦＧＡの衣服と第２の画像ＦＧＢの人の頭部や手とが合成され、図１に示すような人の画像ＦＧＡが表示されることになる。これによると、外封筒１１に穴が設けられることになるので、その穴から破ることができ、受取人が破ることが容易になる。なお、外封筒１１に穴を設けることなく、外封筒１１の表面１１ａを透明または半透明としておいてもよい。
【００３１】
このように、外封筒１１、内封筒１２、便箋シート１３の３つの表面には、種々の関連のある内容、物語、またはパロディの画像ＦＧを描くことができる。また、さらに内封筒１２の内側にさらに内封筒を追加し、ユーモアやブラックユーモアなどを表した４駒マンガ風に構成して４つの表面に画像ＦＧを描いてもよい。画像ＦＧの中には、セリフや説明のための語句または文章を入れてもよい。紙、合成樹脂、または金属などで製作された別の物品または部品を、表面に貼り付け、または封筒や便箋シート１３の間に入れておくことによって、立体感、実在感、意外感を強めてもよい。例えば、スプリング特性を持った物品を外封筒１１と内封筒１２との間に入れておき、外封筒１１を破ったときにその物品が飛び出してくるようにしてもよい。
【００３２】
また、外封筒１１には日本語によって物語の文章を表示し、内封筒１２には英語によって物語の文章を表示し、便箋シート１３には中国語によって物語の文章を表示するというように、それぞれ言語を変えて表示してもよい。こうすると、語学学習に役立てることができる。
【００３３】
上に述べた例では、封筒１の受取人が、外封筒１１の表面、および内封筒１２の表面を順次破り、破った部分から便箋シート１３を取り出すように説明したが、受取人は必ずしもそのようにして開封しなければならないものではない。例えば、外封筒１１および内封筒１２を破った後、外封筒１１および内封筒１２の１辺の縁を破りまたは切り取り、そこから便箋シート１３を取り出してもよい。こうすると、便箋シート１３を傷めることなく綺麗に取り出すことができる。また、外封筒１１を破った後、そこから内封筒１２を破ることなく取り出し、その後で内封筒１２の表面を破って便箋シート１３を取り出してもよく、また、内封筒１２の１辺の縁を破りまたは切り取って便箋シート１３を取り出してもよい。また、初めから外封筒１１および内封筒１２の１辺の縁を破りまたは切り取り、そこから内封筒１２および便箋シート１３を順に取り出してもよい。
【００３４】
また、図６に示すように、外封筒１１および内封筒１２に、画像ＦＧの輪郭に沿ってミシン目ＭＭを形成しておき、受取人がそのミシン目ＭＭに沿って破るようにしてもよい。このようにした場合には、封筒を破る際の心理的な抵抗感が薄らぐので、破って開封することが容易になる。また、外封筒１１および内封筒１２の周囲の縁に沿って、縁よりも若干内側において、ミシン目ＭＭを形成しておくようにしてもよい。外封筒１１にのみミシン目ＭＭを設けておき、内封筒１２にはミシン目ＭＭを設けないようにしてもよい。なお、ミシン目ＭＭとして、紙面に破線を描くように切れ目や孔を設けたもの、単なる破線のみを描いたものなど、公知の種々の種類のミシン目を用いることができる。
【００３５】
また、図示は省略したが、外封筒１１および内封筒１２に、画像ＦＧの輪郭に沿って糸様のものを埋め込んでその端部を出しておき、受取人がその糸様のものを引っ張ることによって画像ＦＧの輪郭に沿って紙面が切れていき、結果として封筒が破れるようにしてもよい。
【００３６】
上に述べた実施形態の封筒１において、外封筒１１、内封筒１２、便箋シート１３の材料として、白い紙、色付きの紙、薄い樹脂フィルムなどを用いることができる。各画像ＦＧを形成するに当たり、プリンタを用いて、または各種方式の印刷によって形成することができる。封筒として完成された後で画像ＦＧの印刷を行ってもよく、また、封筒となっていない展開された状態で印刷を行ってもよい。画像ＦＧの作成には、イラストレーションまたはＣＧ（コンピュータグラフィックス）などによって作成してもよく、実写真を用いてもよい。マークＭＫを内封筒１２にも表示してよい。マークＭＫの内容は種々変更することができる。例えば、「空ける」「開く」「破る」「ここ」などでもよい。最初に破り始める箇所を具体的に差し示す指示マークを併用してもよい。
【００３７】
外封筒１１および内封筒１２の表面にそれぞれの画像を形成したが、裏面に画像を形成してもよい。その場合には、外封筒１１の表面に宛て名や差出人を書くことになる。しかし、その場合でも、差出人を裏面に書いてもよい。また、外封筒１１の表面ａまたは裏面１１ｂの一部に第１の画像ＦＧＡを形成し、開いた部分に宛て名などを書き込むようにしてもよい。また、外封筒１１および内封筒１２の裏面に画像ＦＧを形成するとともに、封筒の折り合わせ部分（貼り合わせ部分）の最初に破り始める箇所に切り込みを設けておいてもよい。そのようにすると、受取人は、その切り込み部分を引っ張ったり切り込み部分から爪を入れたりして容易に破ることが可能となる。
【００３８】
また、便箋シート１３の構成として、２つ折にすることなくそのまま外封筒１１に収納可能な寸法としてもよい。その場合には、メッセージ部分１３ｂは画像部分１３ａの裏面のみとなる。また、２つ折ではなく、３つ折、４つ折にして内封筒１２に収納するようにしてもよい。例えば、図５に示すように、境界ＫＫを３つ設け、１ヵ所に画像部分１３ａを、他の３ヵ所にメッセージ部分１３ｂ〜ｄを設け、４つ折にしてもよい。その裏面にメッセージ部分を設けてもよい。１つの便箋シート１３に複数の画像部分１３ａを設け、それぞれに第３の画像ＦＧＣを形成しておき、ユーザの好みに応じた画像を選択して内封筒１２に入れるようにしてもよい。
【００３９】
上に述べた封筒１は、封筒や便箋などを３枚用いることによって構成したが、４枚以上によって１つの封筒を構成してもよい。裏面においても、表面と同様に破ることによって見えるように構成しておいてもよい。つまり、表裏両側から破って見ることができるようにしておいてもよい。
【００４０】
上に述べた封筒１は、郵便手紙のみではなく、郵便以外の手紙として、また、映画、演劇、コンサート、その他の各種イベントのパンフレットとして、またそれらのプロモーションや宣伝広告のために用いることもできる。
【００４１】
その他、封筒１の全体または各部の構造、形状、寸法、個数、材質、画像の内容などは、本発明の趣旨に沿って適宜変更することができる。
【産業上の利用可能性】
【００４２】
本発明は、郵便手紙のための封筒として、また、各種のパンフレットとして利用することができる。
【図面の簡単な説明】
【００４３】
【図１】本発明の一実施形態に係る封筒を分解して表から見て示す図である。
【図２】封筒を分解して裏から見て示す図である。
【図３】封筒の構造を示す正面図である。
【図４】封筒を破って開封していく状態を順に説明する図である。
【図５】便箋シートの他の例を示す図である。
【図６】封筒にミシン目を入れた状態を示す図である。
【符号の説明】
【００４４】
１  封筒
１１  外封筒
１２  内封筒
１３  便箋シート
１１ａ  表面
１２ａ  表面
１３ａ  画像部分
１３ｂ〜ｄ  メッセージ部分
ＭＳ  メッセージ
ＫＫ  境界
ＦＧＡ  画像（第１の画像）
ＦＧＢ  画像（第２の画像）
ＦＧＣ  画像（第３の画像）
ＭＫ  マーク（指示画像）
ＭＭ  ミシン目
【図１】
2006016075.tif 000003
【図２】
2006016075.tif 000004
【図３】
2006016075.tif 000005
【図４】
2006016075.tif 000006
【図５】
2006016075.tif 000007
【図６】
2006016075.tif 000008